(57)【特許請求の範囲】
【請求項１】
吸気口と送風口を有する本体ケースと、この本体ケース内に設けた除湿手段とを備え、この除湿手段は、通気構造の除湿ロータと、この除湿ロータに送風するための送風機とを有し、前記除湿ロータは、放出部と吸湿部とを有し、前記除湿ロータの前記放出部での送風方向における風上側に冷凍サイクルの凝縮器を配置し、前記除湿ロータの前記放出部での送風方向における風下側に冷凍サイクルの蒸発器を配置し、前記除湿ロータは、前記除湿ロータの前記放出部での送風方向における通気風上面の開口を、通気風下面の開口よりも大きくするとともに、前記除湿ロータの前記放出部での送風方向における前記通気風下面に風下表示をした除湿装置。
【請求項２】
除湿ロータは、通気構造体に、吸湿物質を接着剤で接着させた構成とした請求項１に記載の除湿装置。
【請求項３】
除湿ロータの接着剤乾燥方向は、前記除湿ロータの前記放出部での送風方向における通気風上側から通気風下に向けた方向とした請求項２に記載の除湿装置。
【請求項４】
吸湿物質はゼオライトとした請求項１から３のいずれか一つに記載の除湿装置。
【請求項５】
接着剤はシリカ系接着剤とした請求項４に記載の除湿装置。
【請求項６】
風下表示は、印刷により形成した請求項１〜５のいずれか一つに記載の除湿装置。
【請求項７】
印刷は油性インクにより形成した請求項６に記載の除湿装置。
【請求項８】
風下表示は、着脱自在のシールにより形成した請求項１から５のいずれか一つに記載の除湿装置。
【請求項９】
風下表示は、前記除湿ロータの前記放出部での送風方向における除湿ロータの通気風下面の一部に設けた請求項１から８のいずれか一つに記載の除湿装置。
【発明の詳細な説明】
【技術分野】
【０００１】
本発明は、例えば衣類乾燥用等として用いられる除湿装置に関するものである。
【背景技術】
【０００２】
本体ケース内に除湿手段を設けた除湿装置は、除湿能力が高いことから、衣類の乾燥用として積極的に活用されている。
【０００３】
すなわち、室内空気を前記除湿手段で乾燥空気とし、この乾燥空気を洗濯後の衣類に向けて送風することにより、乾燥の効率化を図ろうとするもので、特に雨振り時や、冬の低温時のように洗濯物が乾きにくい時には、非常に重宝されているものである（なお、これに関連する先行文献としては下記特許文献１がある）。
【特許文献１】特開２００６−１０２５７８号公報
【発明の開示】
【発明が解決しようとする課題】
【０００４】
上述のごとく従来の除湿装置は衣類乾燥用などとして極めて評価されているものであるが、近年その除湿能力を高めるために除湿手段として、通気構造の除湿ロータと、この除湿ロータに送風するための送風機とを有するものが提案されている。
【０００５】
すなわち、除湿装置は、その本体ケース内で結露等により除湿を行うようになっているが、例えば低温時のように結露による除湿動作が効果的に行えない時にでも、湿気を除湿ロータの吸湿部で捕らえ、次にこの除湿ロータを回動させることにより上記吸湿部を放湿部とし、この放湿部から湿度の高い湿気として放出させ、これにより今度は結露による除湿動作が効果的に行えるようにしている。
【０００６】
さて、このように除湿動作として有効な除湿ロータは通気構造となっているが、この除湿ロータの設置方向により除湿効果がバラツクと言うことが明らかになった。すなわち、除湿ロータは通気構造となっているが、このような通気気構造とした場合、表裏面の開口の大きさは必ずバラツキ、開口の大きいほうを通気風上側とするか、通気風下側とするかによって、この除湿ロータへの通気状態に差が発生し、その結果として除湿効果がバラツクのであった。そこで本発明は、除湿効果を高めることを目的とするものである。
【課題を解決するための手段】
【０００７】
この目的を達成するために本発明は、吸気口と送風口を有する本体ケースと、この本体ケース内に設けた除湿手段とを備え、この除湿手段は、通気構造の除湿ロータと、この除湿ロータに送風するための送風機とを有し、前記除湿ロータは、放出部と吸湿部とを有し、前記除湿ロータの前記放出部での送風方向における風上側に冷凍サイクルの凝縮器を配置し、前記除湿ロータの前記放出部での送風方向における風下側に冷凍サイクルの蒸発器を配置し、前記除湿ロータは、前記除湿ロータの前記放出部での送風方向における通気風上面の開口を、通気風下面の開口よりも大きくするとともに、前記除湿ロータの前記放出部での送風方向における前記通気風下面に風下表示をし、これにより、初期の目的を達成するものである。
【発明の効果】
【０００８】
本発明は、吸気口と送風口を有する本体ケースと、この本体ケース内に設けた除湿手段とを備え、この除湿手段は、通気構造の除湿ロータと、この除湿ロータに送風するための送風機とを有し、前記除湿ロータは、放出部と吸湿部とを有し、前記除湿ロータの前記放出部での送風方向における風上側に冷凍サイクルの凝縮器を配置し、前記除湿ロータの前記放出部での送風方向における風下側に冷凍サイクルの蒸発器を配置し、前記除湿ロータは、前記除湿ロータの前記放出部での送風方向における通気風上面の開口を、通気風下面の開口よりも大きくしているので、この除湿ロータへの通気がスムーズとなり、その結果として除湿効果が高くなるものである。
【０００９】
なお、通気風上側の開口と通気風下側の開口をどちらか一方を大きくし、他方を小さくしたら、通気抵抗は変わらないのではないかとも考えられるが、現実的には通気風上側の開口を大きくしたほうが、通気がこの除湿ロータには入りやすくなり、結論として上述のごとく除湿ロータへの通気がスムーズとなり、その結果として除湿効果が高くなる。
【００１０】
また、通気風下面に風下表示をしたものであるので、この除湿ロータの設置を間違うことは無く、よってこの点からもその除湿効果を高めることができる。
【００１１】
さらに、除湿ロータの放出部での送風方向における除湿ロータの通気風下面に風下表示をした場合、その表示の仕方によっては通気抵抗が高くなる場合もあるが、その時でも除湿ロータの放出部での送風方向における通気風下側であれば、除湿ロータへの通気が阻害される影響は少なく、その結果としても、その除湿効果を高めることができる。さらにまた、除湿ロータの放出部での送風方向における除湿ロータの通気風下側は開口を小さくしているので、表示も行い易くなる。
【発明を実施するための最良の形態】
【００１２】
以下本発明の一実施形態を図１〜図３を用いて説明する。
【００１３】
図に示すように、縦長箱状の本体ケース１の背面には吸気口２、上面の背面側には送風口３が設けられている。本体ケース１内には、圧縮機（図示せず）と、凝縮器４、蒸発器５を備えた冷凍サイクルと、除湿ロータ６からなる除湿手段が設けられている。すなわち、上記先行文献にも類似する構成が記載されているので、ここでは説明を簡略化するが、本実施形態の除湿動作は以下のようになっている。
【００１４】
先ずモータ７によりファン８を駆動すると、吸気口２から室内空気が本体ケース１内に（矢印Ａ方向のごとく）吸入され、この空気の大部分は凝縮器４で加熱され、相対湿度が低くなった状態で、送風口３から室内に送風されるようになっている。
【００１５】
また、ファン８により本体ケース１内に吸入された空気の一部は、凝縮器４で加熱され、相対湿度が低くなった状態で矢印Ｂのごとく除湿ロータ６の放出部（図２の放出部６ａ）を通過し、この時この放出部６ａからの放出湿度を伴って次に図２の矢印Ｃのごとく蒸発器５へと誘導され、この蒸発器５で冷却され、ここで湿気を結露させる。この結露水はドレインパン９を介してタンク１０中に溜められる。
【００１６】
また、蒸発器５で結露しなかった湿気は次に図２の矢印Ｄ方向に進み、除湿ロータ６の吸湿部（図２の吸湿部６ｂ）で吸湿され、この吸湿部６ｂは除湿ロータ６の回転（図２の矢印Ｅ方向）によりその後上記放出部６ａとなり、これにより捕らえた湿気を加熱空気に再放出させ、次に蒸発器５で冷却し、湿気を結露させて除去する。
【００１７】
そしてこのような効果的な除湿動作により、乾燥した空気が生成され、この乾燥空気が上述の送風口３から本体ケース１後方の室内に、上下に回動するルーバ１１の偏向を受けながら広範囲に送風されるようになっている。したがって、この送風部分に洗濯物を干しておれば、乾燥が効率的に進むものとなるのである。
【００１８】
本実施形態における特徴点は、除湿ロータ６の構造にある。すなわち、本実施形態の除湿ロータ６は図２、図３のごとく全体形状としては円板状となっている。この円板体は、図３（ｂ）（ｃ）からも理解されるように、円形リング１２内に、通気体１３を設けたものである。また通気体１３は、二枚の帯体１４間にジグザグ状に帯体１５設けたものを、円形リング１２内において、内周から外周に向けて渦巻状に巻くことによって通気構造に構成したものである。
【００１９】
これら帯体１４、１５は耐熱繊維によって構成されており、その表面には、図３（ｄ）のごとく例えばゼオライトのような吸湿物質１６を、例えばシリカ系の接着剤１７で接着させた構成としている。この場合、吸湿物質１６と接着剤１７は液状に混合した状態で、通気体１３に塗布され、図３（ｄ）のごとく通気風上側から、通気風下側に向けて、温風ヒータ１８で乾燥させることにより構成したものである。このため、接着剤１７は、この製造時の乾燥風下側（図２の実使用時の矢印Ｃ側）に流れ、この結果として通気体１３の開口状態は、図３（ｂ）〜（ｄ）から明らかのごとく、通気風上面の開口が、通気風下面の開口よりも大きくなっているので、この通気体１３への通気がスムーズとなり、その結果として除湿効果が高くなる。
【００２０】
なお、通気風上側の開口と通気風下側の開口をどちらか一方を大きくし、他方を小さくしたら、通気抵抗は変わらないのではないかとも考えられるが、現実的には通気風上側の開口を大きくしたほうが、通気がこの通気体１３には入りやすくなり、結論として上述のごとく通気体１３への通気がスムーズとなり、その結果として除湿効果が高くなる。
【００２１】
また、通気風下面には、図３（ａ）のごとく「うら」と言う風下表示１９をしたものであるので、この通気体１３の設置を間違うことは無く、よってこの点からもその除湿効果を高めることができる。
【００２２】
さらに、通気体１３の通気風下面に風下表示１９をした場合、その表示の仕方によっては通気抵抗が高くなる場合もあるが、その時でも通気風下側であれば、通気体１３への通気が阻害される影響は少なく、その結果としても、その除湿効果を高めることができる。なお、本実施形態では、風下表示１９は、油性インクの印刷により形成したので、通気抵抗を高める事はない。
【００２３】
また、通気体１３の通気風下側は開口を小さくしているので、このような印刷による表示も行い易くなる。さらに、風下表示１９は、着脱自在のシールにより形成してもよいが、印刷でもこのようなシールでも風下表示１９は、通気体１３の通気風下面の一部に設け、できるだけ通気を阻害しないようにすることが好ましい。
【産業上の利用可能性】
【００２４】
本発明に本発明は、吸気口と送風口を有する本体ケースと、この本体ケース内に設けた除湿手段とを備え、除湿手段は、通気構造の除湿ロータと、この除湿ロータに送風するための送風機とを有し、前記除湿ロータは、通気風上面の開口を、通気風下面の開口よりも大きくするとともに、前記通気風下面に風下表示をしたものであるので、その除湿効果を高めることができる。
【００２５】
すなわち、前記除湿ロータは、通気風上面の開口を、通気風下面の開口よりも大きくしているので、この除湿ロータへの通気がスムーズとなり、その結果として除湿効果が高くなるものである。
【００２６】
なお、通気風上側の開口と通気風下側の開口をどちらか一方を大きくし、他方を小さくしたら、通気抵抗は変わらないのではないかとも考えられるが、現実的には通気風上側の開口を大きくしたほうが、通気がこの除湿ロータには入りやすくなり、結論として上述のごとく除湿ロータへの通気がスムーズとなり、その結果として除湿効果が高くなる。
【００２７】
また、通気風下面に風下表示をしたものであるので、この除湿ロータの設置を間違うことは無く、よってこの点からもその除湿効果を高めることができる。
【００２８】
さらに、除湿ロータの通気風下面に風下表示をした場合、その表示の仕方によっては通気抵抗が高くなる場合もあるが、その時でも通気風下側であれば、除湿ロータへの通気が阻害される影響は少なく、その結果としても、その除湿効果を高めることができる。さらにまた、除湿ロータの通気風下側は開口を小さくしているので、表示も行い易くなる。したがって、各種乾燥希望物の乾燥などに広く活用されるものとなる。
【図面の簡単な説明】
【００２９】
【図１】本発明の一実施形態の断面図
【図２】同除湿ロータ部分の分解斜視図
【図３】同除湿ロータ部分を示す図（（ａ）除湿ロータの斜視図、（ｂ）風下側の拡大正面図、（ｃ）風上側からの拡大正面図、（ｄ）拡大断面図）
【符号の説明】
【００３０】
１    本体ケース
２    吸気口
３    送風口
４    凝縮器
５    蒸発器
６    除湿ロータ
７    モータ
８    ファン
９    ドレインパン
１０  タンク
１１  ルーバ
１２  円形リング
１３  通気体
１４  帯体
１５  帯体
１６  吸湿物質
１７  接着剤
１９  風下表示
【図１】
0005262162.tif 000002
【図２】
0005262162.tif 000003
【図３】
0005262162.tif 000004